【手続補正書】
【提出日】平成29年7月31日(2017.7.31)
【手続補正１】
【補正対象書類名】特許請求の範囲
【補正対象項目名】全文
【補正方法】変更
【補正の内容】
【特許請求の範囲】
【請求項１】
コンピュータにより実行される方法であって、
ファースト・パーティ・システムのコンピューティングデバイスが、前記コンピューティングデバイスのディスプレイ上のサード・パーティ・アプリケーションに関連する第１のユーザ・インターフェースにサード・パーティ・コンテンツを提示すること、
前記コンピューティングデバイスが、前記第１のユーザ・インターフェースに、前記サード・パーティ・コンテンツと接続する対話型コメント・アイコンを提示することであって、前記対話型コメント・アイコンは、前記ファースト・パーティ・システムに関連し、且つ前記サード・パーティ・コンテンツに関するコメントをユーザが作成することを可能にする、前記提示すること、
前記コンピューティングデバイスが、前記ユーザが前記第１のユーザ・インターフェース上で前記サード・パーティ・コンテンツと対話している間に、前記ユーザが前記対話型コメント・アイコンをアクティブ化するのに応答して、
前記サード・パーティ・コンテンツを表すコンテンツ・アイコンによって完全に閉じられて置き換えられるまで半分に折り畳まれる前記サード・パーティ・コンテンツのイメージのアニメーションをシミュレートすることによって前記第１のユーザ・インターフェース上のサード・パーティ・コンテンツから前記サード・パーティ・コンテンツを表すコンテンツ・アイコンを含むコメント投稿インターフェースに移行することによって、ディスプレイから前記サード・パーティ・コンテンツを除去することであって、前記コメント投稿インターフェースは、前記ファースト・パーティ・システムに関連する第２のユーザ・インターフェースに表示され、前記第２のユーザ・インターフェースは、前記移行の後に前記ディスプレイ上の前記第１のユーザ・インターフェースを置き換えるように構成される、前記サード・パーティ・コンテンツを除去すること、
前記コメント投稿インターフェースの内部で前記ユーザがコメントを入力することを可能にすること、
前記コメントを前記ユーザが公開に向けてファースト・パーティ・システムにサブミットすることを可能にすること、
前記コンピューティングデバイスが、前記ファースト・パーティ・システムに関連する前記第２のユーザ・インターフェースにおいて前記コンテンツ・アイコンとともに前記コメントを提示すること、を備える方法。
【請求項２】
前記ファースト・パーティ・システムが、ソーシャル・ネットワーキング・システムであり、
前記ユーザが、前記ソーシャル・ネットワーキング・システムのメンバであり、
前記ユーザが、前記ソーシャル・ネットワーキング・システムを介して前記サード・パーティ・コンテンツと対話する、請求項１に記載の方法。
【請求項３】
前記ユーザが前記サード・パーティ・コンテンツと対話している間に、前記ユーザが前記コメント・アイコンをアクティブ化するのに応答して、
前記ユーザが前記コメント投稿インターフェースにおいてコメントを入力している間に前記コメント投稿インターフェースの隣に前記サード・パーティ・コンテンツをアプリケーション・アイコンとして提示することをさらに備える、請求項１に記載の方法。
【請求項４】
前記ファースト・パーティ・システムによって前記コメントが公開されたときに前記コメントが表示されるように、前記ユーザに前記コメントをプレビューさせることをさらに備える、請求項１に記載の方法。
【請求項５】
前記ファースト・パーティ・システムによって、前記サード・パーティ・コンテンツに関するユーザ・コメントとして前記コメントを公開することをさらに備える、請求項１に記載の方法。
【請求項６】
１つまたは複数のコンピュータ可読非一時的記憶媒体であって、
実行されたときに、
コンピューティングデバイスのディスプレイ上のサード・パーティ・アプリケーションに関連する第１のユーザ・インターフェースにサード・パーティ・コンテンツを提示すること、
前記第１のユーザ・インターフェースに、前記サード・パーティ・コンテンツと接続する対話型コメント・アイコンを提示することであって、前記対話型コメント・アイコンは、ファースト・パーティ・システムに関連し、且つ前記サード・パーティ・コンテンツに関するコメントをユーザが作成することを可能にする、前記提示すること、
前記ユーザが前記第１のユーザ・インターフェース上で前記サード・パーティ・コンテンツと対話している間に、前記ユーザが前記対話型コメント・アイコンをアクティブ化するのに応答して、
前記サード・パーティ・コンテンツを表すコンテンツ・アイコンによって完全に閉じられて置き換えられるまで半分に折り畳まれる前記サード・パーティ・コンテンツのイメージのアニメーションをシミュレートすることによって前記第１のユーザ・インターフェース上のサード・パーティ・コンテンツから前記サード・パーティ・コンテンツを表すコンテンツ・アイコンを含むコメント投稿インターフェースに移行することによって、ディスプレイから前記サード・パーティ・コンテンツを除去することであって、前記コメント投稿インターフェースは、前記ファースト・パーティ・システムに関連する第２のユーザ・インターフェースに表示され、前記第２のユーザ・インターフェースは、前記移行の後に前記ディスプレイ上の前記第１のユーザ・インターフェースを置き換えるように構成される、前記サード・パーティ・コンテンツを除去すること、
前記コメント投稿インターフェースの内部で前記ユーザがコメントを入力することを可能にすること、
前記コメントを前記ユーザが公開に向けて前記ファースト・パーティ・システムにサブミットすること、
前記ファースト・パーティ・システムに関連する前記第２のユーザ・インターフェースにおいて前記コンテンツ・アイコンとともに前記コメントを提示すること、を動作可能であるソフトウェアを実装する１つまたは複数のコンピュータ可読非一時的記憶媒体。
【請求項７】
前記ファースト・パーティ・システムが、ソーシャル・ネットワーキング・システムであり、
前記ユーザが、前記ソーシャル・ネットワーキング・システムのメンバであり、
前記ユーザが、前記ソーシャル・ネットワーキング・システムを介して前記サード・パーティ・コンテンツと対話する、請求項６に記載の１つまたは複数のコンピュータ可読非一時的記憶媒体。
【請求項８】
前記ソフトウェアが、実行されたときに、
前記ユーザが前記サード・パーティ・コンテンツと対話している間に、前記ユーザが前記コメント・アイコンをアクティブ化するのに応答して、
前記ユーザが前記コメント投稿インターフェースにおいてコメントを入力している間に前記コメント投稿インターフェースの隣に前記サード・パーティ・コンテンツをアプリケーション・アイコンとして提示するようにさらに動作可能である、請求項６に記載の１つまたは複数のコンピュータ可読非一時的記憶媒体。
【請求項９】
前記ソフトウェアが、実行されたときに、
前記ファースト・パーティ・システムによって前記コメントが公開されたときに前記コメントが表示されるように、前記ユーザに前記コメントをプレビューさせるようにさらに動作可能である、請求項６に記載の１つまたは複数のコンピュータ可読非一時的記憶媒体。
【請求項１０】
前記ソフトウェアが、実行されたときに、
前記ファースト・パーティ・システムによって、前記サード・パーティ・コンテンツに関するユーザ・コメントとして前記コメントを公開するようにさらに動作可能である、請求項６に記載の１つまたは複数のコンピュータ可読非一時的記憶媒体。
【請求項１１】
システムであって、
１つまたは複数のプロセッサと、
前記プロセッサに結合され、且つ前記プロセッサによって実行可能な命令を含むメモリとを備え、前記プロセッサが、前記命令を実行したときに、
前記コンピューティングデバイスのディスプレイ上のサード・パーティ・アプリケーションに関連する第１のユーザ・インターフェースにサード・パーティ・コンテンツを提示すること、
前記第１のユーザ・インターフェースに、前記サード・パーティ・コンテンツと接続する対話型コメント・アイコンを提示することであって、前記対話型コメント・アイコンは、ファースト・パーティ・システムに関連し、且つ前記サード・パーティ・コンテンツに関するコメントをユーザが作成することを可能にする、前記提示すること、
前記ユーザが前記第１のユーザ・インターフェース上で前記サード・パーティ・コンテンツと対話している間に、前記ユーザが前記対話型コメント・アイコンをアクティブ化するのに応答して、
前記サード・パーティ・コンテンツを表すコンテンツ・アイコンによって完全に閉じられて置き換えられるまで半分に折り畳まれる前記サード・パーティ・コンテンツのイメージのアニメーションをシミュレートすることによって前記第１のユーザ・インターフェース上のサード・パーティ・コンテンツから前記サード・パーティ・コンテンツを表すコンテンツ・アイコンを含むコメント投稿インターフェースに移行することによって、ディスプレイから前記サード・パーティ・コンテンツを除去することであって、前記コメント投稿インターフェースは、前記ファースト・パーティ・システムに関連する第２のユーザ・インターフェースに表示され、前記第２のユーザ・インターフェースは、前記移行の後に前記ディスプレイ上の前記第１のユーザ・インターフェースを置き換えるように構成される、前記サード・パーティ・コンテンツを除去すること、
前記コメント投稿インターフェースにおいて前記ユーザがコメントを入力することを可能にすること、
前記コメントを前記ユーザが公開に向けて前記ファースト・パーティ・システムにサブミットすること、
前記ファースト・パーティ・システムに関連する前記第２のユーザ・インターフェースにおいて前記コンテンツ・アイコンとともに前記コメントを提示すること、を可能にすることを実行可能である、システム。
【請求項１２】
前記ファースト・パーティ・システムが、ソーシャル・ネットワーキング・システムであり、
前記ユーザが、前記ソーシャル・ネットワーキング・システムのメンバであり、
前記ユーザが、前記ソーシャル・ネットワーキング・システムを介して前記サード・パーティ・コンテンツと対話する、請求項１１に記載のシステム。
【請求項１３】
前記プロセッサが、前記命令を実行したときに、
前記ユーザが前記サード・パーティ・コンテンツと対話している間に、前記ユーザが前記コメント・アイコンをアクティブ化するのに応答して、
前記ユーザが前記コメント投稿インターフェースにおいてコメントを入力している間に前記コメント投稿インターフェースの隣に前記サード・パーティ・コンテンツをアプリケーション・アイコンとして提示するようにさらに動作可能である、請求項１１に記載のシステム。
【請求項１４】
前記プロセッサが、前記命令を実行したときに、
前記ファースト・パーティ・システムによって前記コメントが公開されたときに前記コメントが表示されるように、前記ユーザに前記コメントをプレビューさせるようにさらに動作可能である、請求項１１に記載のシステム。
【請求項１５】
前記プロセッサが、前記命令を実行したときに、
前記ファースト・パーティ・システムによって、前記サード・パーティ・コンテンツに関するユーザ・コメントとして前記コメントを公開するようにさらに動作可能である、請求項１１に記載のシステム。
【請求項１６】
前記サード・パーティ・コンテンツから前記コメント投稿インターフェースに移行することは、
前記サード・パーティ・コンテンツのユーザ・インターフェースから前記コメント投稿インターフェースへの移行を示すアニメーション・シーケンスを含む、請求項１に記載の方法。
【請求項１７】
前記サード・パーティ・コンテンツから前記コメント投稿インターフェースに移行することは、
前記サード・パーティ・コンテンツのユーザ・インターフェースから前記コメント投稿インターフェースへの移行を示すアニメーション・シーケンスを含む、請求項６に記載の１つまたは複数のコンピュータ可読非一時的記憶媒体。
【請求項１８】
前記サード・パーティ・コンテンツから前記コメント投稿インターフェースに移行することは、
前記サード・パーティ・コンテンツのユーザ・インターフェースから前記コメント投稿インターフェースへの移行を示すアニメーション・シーケンスを含む、請求項１１に記載のシステム。